(57)【特許請求の範囲】
【請求項１】
信号源に結合され、信号を受信し、前記受信した信号から一連のビデオ番組信号と、各ビデオ番組の持続時間についての情報を表すデータから成る番組スケジュールとを抽出するように適合されたテレビジョン信号処理装置を制御する方法であって、
一連のユーザ・コマンドの入力に応答して、現在受信される、第１のビデオ番組を表すビデオ番組信号を処理し始めるように前記テレビジョン信号処理装置を制御するステップと、
前記第１のビデオ番組のあとに続く、前記一連のユーザ・コマンドの入力における入力の数により定められる選択された数のビデオ番組信号を処理するように前記テレビジョン信号処理装置を制御するステップと、
選択された各ビデオ番組信号についての持続時間の情報を抽出するステップと、
前記選択されたビデオ番組信号の持続時間が経過したときに、前記テレビジョン信号処理装置にビデオ番組信号の処理を停止させるステップと、
を含む、前記方法。
【発明の詳細な説明】
産業上の利用分野
本発明は、現在受信しているテレビジョン番組またはそのあとに続くテレビジョン番組を単一のステップで処理できるように、１個の消費者用電子機器を利用者に制御させるシステムに関するものである。
発明の背景
例えば、現在のＶＣＲ（：Ｖｉｄｅｏ  Ｃａｓｅｔｔ  Ｒｅｃｏｒｄｅｒ）は、使用者が予めスケジュールを組むためのスケジュール機構を備えている。この機構を使用して、利用者は、利用者の指定したチャンネルを、指定した日の指定した開始時刻から指定した終了時刻まで録画するようにＶＣＲをプログラムすることができる。更に改良された機能を使用することにより、利用者は、このようにして毎日および／または毎平日に録画するようにＶＣＲをプログラムすることができる。しかしながら、この機構の使用は複雑であり、利用者は多数のステップを実行する必要がある。このような手順を簡略化するために番組に所定のコード番号を割り当て、そのコード番号を入力して番組を録画する試みがなされている。何れにしても、利用者は、出版されているＴＶスケジュールのような、外部のソースから得られる情報を利用して手動でＶＣＲを予めプログラムしなければならない。
現在のテレビジョン分配システムでは、テレビジョン番組情報のみならず、番組スケジュール情報も供給することができる。例えば、テレビジョン信号の垂直帰線消去期間（ＶＢＩ：Ｖｅｒｔｉｃａｌ  Ｂｌａｎｋｉｎｇ  Ｉｎｔｅｒｖａｌ）に、あるいは各水平走査期間のオーバ・スキャン部分に置かれている拡張データ・サービス（ＸＤＳ：Ｅｘｔｅｎｄｅｄ  Ｄａｔａ  Ｓｅｒｖｉｃｅ）の一部としてスケジュール情報を含めることが提案されている。また、現在の衛星テレビジョン分配システムは、テレビジョン番組に加えて、スケジュール情報、例えば、ディーエスエス（ＤＳＳ）あるいはスターサイト（Ｓｔａｒｓｉｇｈｔ）番組ガイド、が入っている別個のデータ・ストリームを含んでいる（パンフレット「もしテレビジョンが最後の逃避手段であるならば」、１９９４年Ｓｔａｒｓｉｇｈｔ  Ｔｅｌｅｃａｓｔ社が版権所有、を参照）。このようなスケジュール情報を使用してＶＣＲを予めスケジュールし、希望の番組を録画することが提案されている。この機構を利用して、利用者は、伝送されたスケジュール情報を閲読して、録画しようとする番組を選択する。番組が選択されると、希望の番組のチャンネルおよび実際の開始および終了時刻が、伝送されたスケジュール情報から抽出され、ＶＣＲはその番組を録画するように自動的にプログラムされる。
また現在のＶＣＲには、現在受信しているチャンネルを録画するための簡略化された方法を利用者に提供するものもある。このようなＶＣＲでは、ＶＣＲの前面パネルに、および／またはＶＣＲのリモコン（ｒｅｍｏｔｅ  ｃｏｎｔｒｏｌ）に、押しボタン・スイッチが備えられ、それを押すと、ＶＣＲの録画が自動的に開始される。このようなＶＣＲでは、このようなボタンを一度押すと、ＶＣＲは録画し始め、そのカセット内のテープがなくなるまで録画し続ける。ボタンを２回押すと、ＶＣＲは３０分間録画してから停止するように自動的にセットされる；ボタンを３回押すとＶＣＲは６０分間録画してから停止するように自動的にセットされる。４回押すと９０分、５回押すと１２０分、などとなる。この特徴は「エクスプレス記録」と呼ばれている。
エクスプレス記録の特徴は役に立つが、限られている。例えば、利用者は通常、選択された時間の間録画することよりも、現在受信しているテレビジョン番組または次の番組（またはそのあとに続く番組）などを録画することにより多くの興味を持っている。更に、利用者は、エクスプレス記録手順を初期設定しているときに、現在の番組の残りの時間、あるいは次の番組が終了する時刻が分からないかもしれない。もし利用者が番組の残りの時間よりも短い録画時間にＶＣＲを設定すると、番組の終わりの部分が録画されないであろう。もし利用者が番組の残りの時間よりも長く、例えば、テープが終わるまで、録画するようにＶＣＲを設定すると、恐らく必要以上に録画することになるであろう。現在受信している番組、あるいはそのあとに続く番組、を録画するための簡略化された手順が望ましい。
このようなシステムは、ＶＣＲおよびその他の信号処理装置をスケジュールするのに望ましい。例えば、１つの番組または一連の番組の終了時に、テレビジョン信号表示装置または衛星受像機のスイッチを切る（睡眠時のターン・オフ機能）；１つのテレビジョン番組または一連の番組を締め出す（自動ロック・アウト）；あるいは他のこのような装置について同様な操作を行う。
発明の概要
本発明の原理に従い、テレビジョン番組を表す信号を処理する装置を制御するスケジュール・システムは、少なくとも、テレビジョン番組の残り時間を表すデータを含んでいる。テレビジョン信号処理装置は、制御信号に応答して、テレビジョン番組を表す信号を選択的に処理する。制御回路はこの制御信号を発生し、処理装置を調整して、利用者の制御信号に応答してテレビジョン番組信号の処理を開始させると共に、番組スケジュール・データに応答してテレビジョン番組の残り時間が経過したときにテレビジョン番組の処理を停止させるようにする。
請求の範囲と実施例との対応関係を図面で使われている参照番号で示すと次の通りである。
１．信号源（３１）に結合され、信号を受信し、前記受信した信号から一連のビデオ番組信号と、各ビデオ番組の持続時間についての情報を表すデータから成る番組スケジールとを抽出するように適合されたテレビジョン信号処理装置（３５）を制御する方法であって、
一連のユーザ・コマンドの入力に応答して、現在受信される、第１のビデオ番組を表すビデオ番組信号を処理し始めるように前記テレビジョン信号処理装置を制御するステップと、
前記第１のビデオ番組のあとに続く、前記一連のユーザ・コマンドの入力における入力の数により定められる選択された数のビデオ番組信号を処理するように前記テレビジョン信号処理装置を制御するステップと、
選択された各ビデオ番組信号についての持続時間の情報を抽出するステップと、
前記選択されたビデオ番組信号の持続時間が経過したときに、前記テレビジョン信号処理装置にビデオ番組信号の処理を停止させるステップと、
を含む、前記方法。
【図面の簡単な説明】
図１は、本発明を組み込んでいる、放送されるテレビジョン番組信号分配システムのブロック図である。
図２は、本発明を組み込んでいる衛星テレビジョン番組信号分配システムのブロック図である。
図３は、図１および図２に示す制御回路を示す、更に詳細なブロック図である。
発明の詳細な説明
図１は本発明が組み込まれているテレビジョン番組信号分配システムのブロック図である。図１は本発明を理解するのに必要な要素だけを示す。当業者は、他にどのような要素が必要とされるか、これらの要素をどのように設計し組み立てるのか、それらをどのようにして、図１に示す要素に接続するのかを理解するであろう。図１に示すスケジューラ・システムは以下に説明され、テレビジョンの記録装置（例えば、ＶＣＲ）において実施され且つこの記録装置を制御する。しかしながら、当業者は、このスケジューラ・システムはすべてのテレビジョン信号処理装置を制御するように構成することができることを理解するであろう。
図１において、送信位置１０は、テレビジョン番組信号源１４、およびテレビジョン番組信号と関連するスケジュール・データ源１６を含み、何れも送信機１２に結合される。このスケジュール・データは少なくとも、テレビジョン番組の残り時間を表すデータを含んでおり、またそれ以外の情報、例えば、番組の解説、開始時刻、終了時刻、評定など、も含んでいる。番組の残り時間を表すデータは、番組の残り時間、番組の終了時刻、番組の開始時刻と持続時間、または番組の残り時間が得られる他のデータ、の形をとる。送信機１２は、スケジュール・データ源（ＳＣＤ）１６からのテレビジョン番組スケジュール・データを、テレビジョン番組信号源（ＰＧＭ）１４からのテレビジョン番組信号と合成して、複合テレビジョン信号を形成する。例えば、クローズド・キャプション・データをテレビジョン番組信号の中へ挿入するのと同じようにして、スケジュール・データは、ＸＤＳデータとしてテレビジョン番組信号のＶＢＩ（垂直帰線消去期間）の中へ挿入される。次に送信機１２は、この複合信号で無線周波（ＲＦ）搬送波を変調し、この信号を、既知の方法で、地上のオン・エア、またはケーブル・ベースのＲＦリンク２０を介して、ＶＣＲ３０に送信する。
ＶＣＲ３０は、送信位置１０から送信される変調されたＲＦ信号を受け取り、それと同時に、ＲＦリンク２０を介してその他の送信位置（図示せず）から送信される、互いに異なる周波数を有するそれぞれのＲＦ搬送波で変調されたその他の信号を受け取る。受像機３１は、送信される信号のうちの１つを選択し、受信し、受信された信号を復調し、復調された複合テレビジョン信号を、テレビジョン番組信号分離回路３３とスケジュール・データ信号分離回路３７に結合させる。テレビジョン番組信号分離回路３３は、複合信号からテレビジョン番組信号を抽出し、その信号を、既知の方法で、記録装置３５に供給する。スケジュール・データ信号分離回路３７は、例えば、受信した信号のＶＢＩからスケジュール・データを抽出し、それを、テレビジョン番組信号からクローズド・キャプション・データを抽出するのと同様にして、制御回路３９に結合させる（例えば、１９９４年１２月６日にＴｕｌｔｓ氏に発行された米国特許第５，３７１，５４５号および１９９５年６月２７日にＬａｎｄｉｓ氏外に発行された米国特許第５，４２８，４００号、何れも参考として本文中に組み込まれている、を参照）。利用者制御信号も制御回路３９に結合される。制御回路３９は、記録装置３５に結合される制御信号を発生する。記録装置３５は、制御回路３９からの制御信号に応答して、テレビジョン番組分離回路３３からのテレビジョン信号を選択的に記録する。
例示的ＶＣＲ３０におけるように、制御回路３９と記録装置３５が同じ筐体内で実施される場合、制御回路３９より発生される制御信号はハードワイヤ（ｈａｒｄｗｉｒｅｄ）信号である。しかしながら、制御回路３９が別の筐体（例えば、衛星受像機、あるいは独立型の筐体）内で実施され、記録装置３５が、既知の方法でＩＲリンクを使用して制御可能な標準的なＶＣＲであることもあり得る。このような構成では、制御信号は、ＶＣＲ用にリモコンより発生される信号に似た赤外線（ＩＲ）信号である。このような制御信号は、リモコンを使用する利用者と同じように、ＶＣＲの動作を制御することができる。
動作について説明すると、利用者の制御信号に応答して、制御回路３９は記録装置３５用の制御信号を発生する。制御信号は、上述したエクスプレス記録を実施したのと同様に、テレビジョン番組信号分離回路３３より記録装置３５に供給されているテレビジョン番組信号を記録し始めるように記録装置３５を調整する。制御信号は、これから記録しようとするチャンネルも含む。それと同時に、テレビジョン・スケジュール・データ分離回路３７より発生される、現在受信中のテレビジョン番組と関連するテレビジョン・スケジュール・データが、現在録画している番組の残り時間を判断するために処理される。制御回路３９はこの時間を監視し、現在録画中のテレビジョン番組の残り時間が経過すると制御回路は、録画を停止するように記録装置３５を調整する制御信号を記録装置３５のために発生する。
図２は本発明を組み込んでいる衛星テレビジョン番組信号分配システムのブロック図である。図１に示すのと同様な要素は同じ参照番号で示されており、以下に詳細に述べない。図２で、送信位置１０′は複数（Ｎ個）のテレビジョン番組信号ＰＧＭ  １〜ＰＧＭ  Ｎの信号源１４（１）〜１４（Ｎ）、すべて送信機１２′に結合される、を含んでいる。これらのテレビジョン番組源１４（１）〜１４（Ｎ）は、既知のように、それぞれのテレビジョン番組信号を表すディジタル・パケット・ストリームを発生する。更に、スケジュール・データ源（ＳＣＤ）１６′は、テレビジョン番組１４（１）〜１４（Ｎ）のすべてについてのスケジュール情報を含んでいるパケット・ストリームを発生する。この情報の中には、パケット・ストリームの識別子、および少なくとも、そのパケット・ストリームで運ばれているテレビジョン番組の残り時間を表すデータが含まれている。テレビジョン番組に関連するその他の情報も、伝送される信号で運ばれるテレビジョン番組の開始時刻、終了時刻、テレビジョン番組の解説、評定などを含む、このスケジュール情報パケット・ストリームで運ばれる。送信機１２′は、既知の方法で、テレビジョン番組源１４（１）〜１４（Ｎ）およびスケジュール・データ源（ＳＣＤ）１６′からのそれぞれのパケット・ストリームを組み合わせて単一のパケット・ストリームにする。次にこのパケット・ストリームはＲＦ搬送波で変調され、やはり既知の方法で、ＲＦ衛星リンク２０′を介して受信位置３０′に伝送される。
受信位置３０′における受像機３１′は、変調されたＲＦ信号をＲＦ衛星リンク２０′から受信し、この信号を復調し、既知の方法で、送信されたパケット・ストリームを発生する。テレビジョン番組信号分離回路３３′は、受信したパケット・ストリームから、テレビジョン番組源１４（１）〜１４（Ｎ）のうちの選択された１つからのデータを含んでいるパケットを抽出する。これらのパケットは、既知の方法で、テレビジョン番組信号分離回路３３′で処理され、標準的なアナログ・テレビジョン信号を発生する。この標準アナログ信号は記録装置３５に供給され、記録装置３５はこの信号を、制御信号に応答して選択的に記録する。記録装置３５はディジタル・データ記録装置でもよい。その場合、ディジタル・パケット自体が記録装置３５に供給され、且つ記録装置３５により選択的に記録される。
上述したのと同様にして、制御回路３９′は、利用者の制御信号に応答して、制御信号（例えば、上述した、ハードワイヤまたはＩＲ信号）を記録装置３５に供給し、テレビジョン番組分離回路３３′で現在発生されているテレビジョン番組信号を記録し始めるように記録装置３５を調整する。それと同時に、スケジュール・データ分離回路３７′は、テレビジョン番組スケジュール・データを含んでいる、受像機３１′より発生されるパケットを抽出し処理する。テレビジョン番組スケジュール・データは制御回路３９′に供給され、制御回路３９′は、現在録画されているテレビジョン番組の残り時間を判断する。制御回路３９′はこの残り時間を監視し、残り時間が経過すると、制御回路３９′は制御信号を記録装置３５に供給し、録画を停止するよう記録装置を調整する。
図３は、図１と図２に示す制御回路の更に詳細なブロック図である。図３で、テレビジョン番組スケジュール分離回路（３７または３７′）からのテレビジョン番組スケジュール・データは、現在録画されている番組の残り時間を判断する計算器３９１の第１の入力端子に結合される。実時間クロック（ＲＴＣ：Ｒｅａｌ  Ｔｉｍｅ  Ｃｌｏｃｋ）３９５（点線で示す）は、残り時間計算器３９１の第２の入力端子に結合される。残り時間計算器３９１はテレビジョン番組の残り時間を示す信号を、経過時間計数器３９２の入力端子に結合されている出力端子に発生する。経過時間計数器３９２は、計数器３９２における経過時間が経過したことを知らせる信号を、論理要素３９３の入力端子に結合される出力端子に発生する。論理要素３９３の第１の出力端子は、記録装置３５の制御入力端子に（例えば、ハードワイヤまたはＩＲリンクを介して）結合される信号を発生し、第２の出力端子は残り時間計算器３９１に結合される。利用者が制御するスイッチ３９４は、既知の方法で、利用者の制御信号を発生し、ＶＣＲ３０の前面パネルにある１個の押しボタン・スイッチおよび／またはＶＣＲ３０のリモコン（図１および／または図２）である。利用者が制御するスイッチ３９４は論理要素３９３の第２の入力端子に結合される。図３に示す制御回路３９は、図に示すように、別々の要素で構成されるか、または図３に示す機能が得られるようにプログラムされるマイクロプロセッサの内部に構成され、あるいはこれら２つの技術の組合わせである。
動作について説明すると、利用者は押しボタン・スイッチ３９４を押して、利用者の入力信号を発生する。利用者の入力信号に応答して、論理要素３９３は直ちに、記録装置３５のための制御信号を発生し、この制御信号は、テレビジョン番組分離回路（３３または３３′）で現在発生されているテレビジョン番組を録画し始めるように記録装置を調整する。論理要素３９３はまた、残り時間計算器３９１のために論理信号を発生し、以下に述べるように、計算器３９１に演算を開始させる。
残り時間計算器３９１は、テレビジョン番組スケジュール・データ分離回路３７からのテレビジョン番組スケジュール・データを処理して、現在録画されている番組の残り時間を判断する。図１に示すシステムの場合、テレビジョン番組スケジュール・データは、ＶＢＩからのＸＤＳデータに入れて、あるいは水平ラインのオーバ・スキャン部分に挿入されるデータに入れて、運ばれ、スケジュール・データ分離回路３７より発生される。図２に示すシステムの場合、テレビジョン番組スケジュール・データは、スケジュール・データ分離回路３７′より発生されるパケット・ストリームに入れて運ばれる。このパケット・ストリームは残り時間計算器３９１で処理され、現在録画している番組についてのスケジュール・データを含んでいるパケットを抽出する。何れにしても、そのデータは、以下のように、現在録画している番組の残り時間を計算するために処理される。
もし残りの時間が、現在録画している番組の残り時間で表されるならば、この値は以下に述べる方法に直接使用される。もし残りの時間が現在の時刻で表されるならば、実時間クロック（ＲＴＣ）３９５にアクセスする。ＲＴＣ３９５は現在の時刻を維持しており、既知の方法で利用者が設定できる。もし番組の終了時刻が番組の開始時刻と番組の持続時間で表されるならば、番組の開始時刻と番組の持続時間の合計が計算され、既知の方法で、終了時刻が与えられる。これで、残りの時間が上述のように計算される。
上述のように、残り時間計算器３９１で計算されたテレビジョン番組の残り時間は、経過時間計数器３９２に供給される。次に経過時間計数器は、残り時間計算器３９１から供給される時間を、既知の方法で、計数し始める。テレビジョン番組の残り時間が経過すると、経過時間計数器は論理要素３９３に信号を送る。その信号に応答して、論理要素は記録装置３５のために制御信号を発生し、録画を停止させるように記録装置３５を調整する。
このようなＶＣＲの利用者は、現在受信されているテレビジョン番組の残りの部分を、１個の押しボタン・スイッチを一度押すことにより、その押しボタンがそのテレビジョン番組中でいつ押されたかにかかわらず、完全な形で録画することができる。
本発明に従い、押しボタン・スイッチを最初に押すと、ＶＣＲはテープがなくなるまで録画し始め、２回目に押すと、ＶＣＲは現在受信されているテレビジョン番組を録画する。この実施例では、制御回路３９における論理要素３９３は、利用者が押しボタン・スイッチ３９４を最初に押すと、制御信号を記録装置３５に送り、記録装置３５は記録し始め、テープがなくなるまで記録し続ける。次に論理要素３９３は、利用者が押しボタン・スイッチを２回目に押すと、残り時間計算器３９１に信号を送り、計算器３９１は、現在録画されているテレビジョン番組の残り時間を抽出する。この時間は経過時間計数器３９２に供給され、計数器３９２は、その時間が経過したとき、論理要素３９３に信号を送る。次に論理要素３９３は記録装置３５に信号を送り、上述したように、その番組が終了すると録画を停止するように記録装置３５を調整する。
この実施例の改良型において、制御回路３９における論理要素３９３は、押しボタン・スイッチ３９４を押すと、以下のように応答する。押しボタン・スイッチ３９４を最初に押すと、ＶＣＲは録画し始め、テープがなくなるまで録画する。押しボタン・スイッチ３９４を２度目に押すと、ＶＣＲは録画し始め、現在録画されているテレビジョン番組が終了するまで、上述のように、録画し続ける。押しボタン・スイッチ３９４を３度目に押すと、ＶＣＲは現在のテレビジョン番組およびその次のテレビジョン番組を録画する。押しボタン・スイッチ３９４を４度目に押すと、ＶＣＲは、現在のテレビジョン番組、およびそのあとに続く２つのテレビジョン番組を録画する、などとなる。
図１に対するこの改良型の実施例において、残り時間計算器３９１はこれから録画されるテレビジョン番組の数を記録しているレジスタ（図示せず）を維持する。押しボタン・スイッチを押すごとに、このレジスタ内の数が、既知の方法で、増やされる。現在のテレビジョン番組が終了すると、この計数は減らされる。最後の番組が録画されていることをこの数が示すと、スケジュール・データ情報が抽出され、その番組の残り時間が、上述のように、計算される。この時間は経過時間計数器３９２に供給され、計数器３９２は論理要素３９３に信号を供給し、次に論理要素３９３は記録装置３５に制御信号を送り、記録装置３５に録画を停止させる。
図２に対するこの改良型の実施例において、残り時間計算器３９１は、これから録画しようとする最後の番組の識別子（ｉｄｅｎｔｉｆｉｃａｔｉｏｎ）を貯える。テレビジョン番組スケジュール・データ分離回路３７からのスケジュール・データが走査されて、このテレビジョン番組の終了時刻を表すデータを抽出する。残り時間計算器３９１は、このテレビジョン番組の終了するまで残り時間を計算し、それを経過時間計数器３９２に貯える。押しボタン・スイッチ３９４を押すごとに、テレビジョン番組スケジュール・データ分離回路３７からのスケジュール・データは再び走査され、連続する次の番組の持続時間を表すデータを抽出する。その番組の識別子が貯えられ、その持続時間が、経過時間計数器３９２内の時間に加えられる。これで、経過時間計数器３９２は、残っている録画時間を常に貯えている。残っている録画時間が経過すると、経過時間計数器３９２は論理要素３９３に信号を送り、次に論理要素３９３は記録装置３５に制御信号を送り、記録装置３５に録画を停止させる。
更に別の実施例では、スケジュール情報分離回路３７は、受信したテレビジョン信号の中にスケジュール・データがあるかどうか判断する回路を含み、もしデータがなければ、制御回路３９は元の状態に戻り、従来技術のエクスプレス記録で動作するようになる。すなわち、押しボタン・スイッチを最初に押すと、制御回路３９は、現在受信されているテレビジョン番組を記録装置３５が録画し始め、テープがなくなるまで録画し続けるようにする。押しボタン・スイッチを２度目に押すと、制御回路は経過時間計数器３９２を３０分に設定し、その３０分の期間の終了時に記録装置３５が録画を停止するように調整する。押しボタン・スイッチを３度目に押すと、記録装置３５は６０分間録画するように調整され、以下同様になる。
テレビジョン信号の記録装置、すなわち、ＶＣＲに関して述べたが、本発明はすべてのテレビジョン信号処理装置を制御するように適合させられることを当業者は理解するであろう。例えば、睡眠タイマーも同様に、本発明による装置を操作することにより、現在受信しているテレビジョン番組の終了時に、あるいは一連の番組の終了時に、テレビジョン表示装置のスイッチを切るように制御される。別の例として、テレビジョン番組ロック・アウト機能も同様に、本発明による装置を操作することにより、現在受信しているテレビジョン番組または一連の番組を見られないように（例えば、子供に見られないように）制御される。
また上述のように、スケジュール・システムは、制御されている装置と同じ筐体内に配置させる必要はなく、他の装置の中に、あるいはそれ自体の筐体内に、配置され、ＩＲ（または他の）リモコン信号によってテレビジョン信号処理装置を制御することもできる。更に、本発明は２つの異なるテレビジョン信号分配システム（地上放送と、衛星放送）のための実施例で説明されたが、テレビジョン番組を表す信号およびそれと関連するスケジュール・データの分配方法は本発明とは関係がなく、スケジュールを表すデータをスケジューラーに送るいかなる分配システムも本発明で使用できる、ことを当業者は理解するであろう。
【図１】
0003935963.tif 000002
【図２】
0003935963.tif 000003
【図３】
0003935963.tif 000004